(57)【特許請求の範囲】
【請求項１】
出発地及び目的地が異なり、混じってはならない要素から成る流れを交差させる回転ドア（１）であって、このドアは、少なくとも二つのフラップ（２、３）と、回転ドアの周囲において幾つかの進入通路（７、８、３０、３１）又は出口通路（９、１０、３２、３３）に面して配置された少なくとも三つの円弧状側壁（４、５、６）とを備えた形式であり、
制御手段はフラップ（２、３；２２、２３、２４、２５）の通過に従って動作し、前記側壁の伸長による展開、或いは圧縮による後退を許容することにより、通路へのアクセスを開放又は閉止する前記円弧状側壁（４、５、６；２７、２８、２９）を展開又は後退させることを特徴とする回転ドア。
【請求項２】
請求項１に記載の回転ドアであって、前記円弧状側壁（４、５、６；２７、２８、２９）は垂直方向に折り目があるタイプであることを特徴とする回転ドア。
【請求項３】
請求項１に記載の回転ドアであって、前記円弧状側壁（４、５、６）は、スライドウエーとして機能するローラートラックによって吊り下げられていることを特徴とする回転ドア。
【請求項４】
請求項１に記載の回転ドアであって、フラップ（２、３）の通過に従って動作し、円弧状側壁（４、５、６）を展開又は後退させる前記制御手段（１１、１２）は、フラップ（２、３）の周囲端に配置された、引っ掛け手段（１１、１２）又は引っ掛け解除手段であり、フラップの動きにより、円弧状側壁（４、５、６）の展開又は後退により異なる進入通路（７、８）の開閉を確実に行い、そして、前記引っ掛け手段（１１、１２）又は引っ掛け解除手段は電磁石であることを特徴とする回転ドア。
【請求項５】
請求項４に記載の回転ドアであって、前記引っ掛け手段（１１、１２）又は引っ掛け解除手段は、前記通路を分離する垂直壁の頭部に設けられた前記円弧状側壁（４、５、６）の停止又は摺動作動部材（１３、１４、１５、１６）として機能する他の手段と協働し、前記フラップ（２、３）の通過に従って、前記停止又は摺動作動部材と接続又は分離して、前記円弧状側壁を前記フラップと接続又は分離させ、又、前記停止又は摺動作動部材として機能する手段は、回転ドアの上部の円形スライドウエーに吊り下げられた前記円弧状側壁をその円形スライドウェーに沿って停止又は摺動させることを特徴とする回転ドア。
【発明の詳細な説明】
【０００１】
本発明の目的は、円弧状側壁を可動にした回転ドアを提供することにある。本発明によるドアは、混合してはならない要素から成り、出発地と目的地が異なる流れを交差させることを可能にする。
特に、本発明は空港における乗客の流れに適用可能である。
【０００２】
現状では、流れが混じり合うことを防止するために、慣用のドアの使用やレベルの変更によって交差させるようにしている。
これらの状況下では、乗客は、交差を避けるために長く作られた巨大な通路を使用する。乗客は多大な時間を無駄にする。
【０００３】
下記の特許に従来技術が記載されている。
ＥＰ−０３６５０７４：  この特許の発明は、中央の回転軸に固定され、コンパートメントを二つずつ包囲する所定数の仕切りを備えた回転ドアに関する。このドアは入口又は出口により入ったり、出たりすることを可能にする。このドアには、存在信号と許可信号とを制御することによって、許可を受けていない通過を出口位置において阻止できる手段が設けられている。検出器からの存在信号により、コンパートメントにおける歩行者の存在を検出できる。コンパートメントに隣接するかコンパートメント内に設置された信号発生器から出力される許可信号は、乗客によって制御される。
【０００４】
ＷＯ８２／０２２２４：  この特許の回転ドアにおいては、中央ロータがほぼ円筒形状で、その直径がドアの固定壁を分離する空間の少なくとも０．３倍である。４枚のドアパネルが中央ロータに関節結合されると共に、油圧式ドア閉止装置によってそれらの通常位置に保持されており、これらのパネルはそれらの関節を中心にして、中央ロータに沿って収容位置まで旋回でき、ドア内のユーザを捉えると曲がることができる。レーダー検出器がドア内に入ったユーザの存在を検出し、ドアの回転を加速して通過を促進する。ドアパネルには近接検出器が設けられており、パネルがドア内の人を捉え始めると、ドアの回転を遅くする。この発明の検出器は、（ドア内のユーザとの接触による）ドアの逆回転方向のドアパネルの背部側への移動を検出し、そのような接触が起きた場合にはドアの回転を停止する。また、４枚のパネルが移動しない側壁と協働する回転位置にドアを保持し、収容位置においてドアパネルを側方の壁に対してロックするための手段も設けられている。
【０００５】
ＷＯ９３／２１４１６：  この特許の回転ドアは、回転する空間を作るフラップを備えたロータを含んでおり、例えば人が外部から店舗の内部に入ることができ、また同様にして店舗から去ることができる。このような形式の回転ドアのデザインや動作を改善するために、ロータの各フラップは、摺動構造として設計され、このために、スライドウエーを備えた少なくとも１つのドア要素を含み、このスライドウエーは、フラッププの面内、又は半径方向の構成部分を備えたスライドウエーに沿って、開き位置と閉じ位置との間で摺動する。
【０００６】
ＷＯ９４／２３１６７：  この特許の改良された回転ドアは、円周方向にオフセットした旋回ドアを備えた回転装置を含む。フラップの枢軸は、中心軸即ち対称軸からフラップの径長さ方向に最小距離だけ離れた位置に位置しており、この最小距離はフラップの全長の少なくとも７０％に等しい。二つのフラップは、それらの枢軸を中心として、通常動作位置と自由通路を残す開き位置との間で反対方向に枢動する。
【０００７】
ＷＯ９４／０８１２１：  この特許の発明は、ドラムドアを備えたブロックチャンバに関する。このブロックチャンバは、通路を幅方向から画定する側壁及び相対的に同期して移動する少なくとも二つのドラムドアによって境界が定められている。これらのドラムドアは、対応する垂直回転軸の回りで回転する二つのフラップを備えている。各ドラムドアのフラップは相互に角度を持って配置されており、通路が常に閉じられるか、少なくとも片側が閉じられる。第１実施例では、二つのドラムドアが設けられ、対応する長手方向の対称線に対するそれらの角度は相対的に９０°オフセットされている。他の実施例では、より大きな通路の側壁に３個又はそれ以上のドラムドアを配置できる。
【０００８】
ＦＲ−Ａ−２．５６０．２７５：  この特許の発明は、金庫（vaults）のためのアクセス管理用ロックチャンバに関し、通路開口を備え、金庫の入口開口部に固定された強化枠内に取り付けられた、強化した回転可能ドアによって、識別制御装置、負荷制御装置、及び回転ドアの重量測定によって、ドアのための駆動機構や駆動機構のための種々の制御・指示装置に接続された組立体のための電子制御回路を包囲する強固な箱によって、そしてドアのための手動アンロック装置によって本質的に構成されている。手動アンロック装置は、３つの停止位置、即ち待機位置、中間の認識及び重量確認制御位置、及び金庫への接近位置を有する。
【０００９】
ＧＢ  １，２２３，６９９（ＢＲＩＴＩＳＨ  ＥＵＲＯＰＥＡＮ  ＡＩＲＷＡＹＳ）：  この特許は、中央コラムを備えた回転ドアを開示している。フラップを制御する機構が中央コラム内でかつ回転ドアの上部に位置している。フラップはセクターから成り、このセクターは貫通部材に接続されている。この貫通部材は回転ドアの直径に応じて回転ドアの一方の側から他方の側へ貫通しており、フラップを形成する二つのセクタを接続する。更に、他のセクタは可動であり、図４、図５に示すように、摺動によって、通路を流れに対して開いたり閉じたりできる。何れの場合も、横方向の拡張又は圧縮によってフラップを開いたり閉じたりできることは示唆も開示もされていない。
【００１０】
ＥＰ０２９６１３４：この特許は、単一方向の流れのために設けられたドア装置を開示している。各ドアは、本質的に空気が流れる危険性を避けるように構成されている。この発明で示されているように、流れの交差ではない。さらに、これは発明の目的ではない。同様に、幅方向に拡張又は圧縮可能なフラップによって通路を開けたり閉じたりすることは開示されておらず、示唆さえもされていない。
【００１１】
これら特許の全ては、回転ドアによって構成された部屋内への人又は物の進入を制御する装置を開示している。他の装置は、通路を自由状態にしておくためにフラップの向きを変えたり後退させ得る回転ドアに関するものである。
【００１２】
これらの回転ドアは、円弧状の側壁と協働して通路を開閉し、これによって交差地点において流れが混じることを阻止するものではない。なお、構成要素の混合は各流れに固有である。
【００１３】
しかし、交差点は、出発地及び目的地が異なり、同じ平面内で循環する二種の要素が出会う必要な点である。
【００１４】
流れの出会い又は混合を避けるためには、流れの一方のレベルを変更して、流れが異なる平面上で循環するようにする必要がある。
【００１５】
【課題を解決するための手段】
本発明はこの問題を解決するものである。
少なくとも二つの流れを、何れの流れも混じることができないようにして、同一の点、従って同一の平面内で交差させることができる。
【００１６】
このため、本発明による回転ドアは、少なくとも二つのフラップと、回転ドアの周囲において１つ又は幾つかの進入通路に面して配置された少なくとも三つの円弧状側壁とを含み、前記ドアは、出発地及び目的地が異なり、混じってはならない要素から成る流れを交差させるように適合されている。
【００１７】
制御手段はフラップの通過に従って動作し、側壁の伸長による展開、或いは圧縮による後退を許容することにより、通路へのアクセスを開放又は閉止する円弧状側壁を展開又は後退させる。
【００１８】
円弧状側壁は、垂直ひだタイプであり、伸長によって展開し、圧縮によって後退できる。
【００１９】
特定の実施例によれば、円弧状側壁は、スライドウエーとして機能するローラートラック上に吊り下げられる。
【００２０】
一実施例によれば、フラップの通過に従って動作し、円弧状側壁を展開又は後退させる制御手段は、フラップの周囲端に配置された、引っ掛け手段又は引っ掛け解除手段であり、フラップの動きにより、円弧状側壁の展開又は後退により異なる進入通路の開閉を確実に行えるようにする。
【００２１】
引っ掛け又は引っ掛け解除手段は電磁石である。また、円弧状側壁の引っ掛け又は引っ掛け解除手段は、通路を分離する垂直壁の頭部に設けられた円弧状側壁の停止又は摺動作動部材として機能する他の手段と協働し、フラップの通過に従って、停止又は摺動作動部材と接続又は分離し、円弧状側壁をフラップと接続又は分離させる。一方、停止又は摺動作動部材として機能する手段は、回転ドアの上部の円形スライドウエーに吊り下げられた前記円弧状側壁をスライドウエーに沿って停止又は摺動させる。これにより、円弧状側壁は、フラップの動きに連動して、スライドウエーに沿って停止又は摺動しつつ、展開又は後退し、進入通路を開閉する。
【００２２】
円弧状側壁の展開又は後退は、回転ドアの回転速度に従って、徐々に行われる。
【００２３】
添付の図面は例示であり、本発明を限定するものではない。図面は本発明の実施例を示し、本発明の理解を容易にするものである。
【００２４】
【発明の実施の形態】
図１は、本発明の実施例による回転ドアの概略平面図であり、ドアは二つのフラップと四つの通路を有している。流れは白丸と黒丸によって示されている。
【００２５】
図２は図１と同様の図で、回転ドアが９０°の角度に回転した状態を示す。白丸に対してはドアへの進入通路が閉じられ、黒丸に対してはドアへの進入通路が開かれ、黒丸は一つの通路に沿って去ることができ、白丸はこの通路に進入することはできない。
図は円弧状の側壁を示し、この側壁は伸長及び後退が可能である。
【００２６】
図３は、回転ドアが更に９０°回転した状態の図であり、側壁が徐々に後退して、白丸の出口通路に向かう通路が開かれることを白丸は見ることができる。黒丸に対してのドアへの進入通路は閉じられ、黒丸はそれらの出口通路によって回転ドアから出る。
【００２７】
図４は図１、図２、図３と同様の図で、回転ドアが更に９０°回転した状態を示す。白丸に対してのドアへの進入通路は開かれ、黒丸のために開く過程にあり、黒丸はそれらの出口通路へ進入できる。
【００２８】
引き続く図５、図６、図７、図８、図９、図１０、図１１は、本発明の実施例による四つのフラップを設けた回転ドアを上方から見た図である。
【００２９】
図５は本発明による四つのフラップを備えた回転ドアの平面図であるが、フラップは、フラップの周囲端に設けられた引っ掛け又は引っ掛け解除手段と協働しない。これらの手段は、通路を分離する垂直壁の頭部に設けられた停止又は摺動作動部材として機能する手段の何れとも協働しない。このような状況下では、回転ドアが黒矢印の方向に回転すると、白矢印で示す流れの混じり合いが生じ、白丸と黒丸とが混合したものが得られる。
【００３０】
図６、及びそれに続く図７、図８、図９、図１０、図１１は、四つのフラップを設けた回転ドアを示し、フラップは引っ掛け及び引っ掛け解除手段と協働し、この手段は、通路を分離する垂直壁の頭部に設けられた停止又は摺動作動部材として機能する他の手段と協働する。
【００３１】
回転ドアが黒矢印の方向に回転すると、円弧状側壁の展開が始まる。
図７は、回転ドアが所定の角度に回転した時の図６に対応する図であり、円弧状側壁の展開の開始を示している。
【００３２】
図８は図７に続く図であり、回転ドアが所定の角度だけ更に回転し、円弧状側壁の展開が実質的に完了し、旋回ドアの進入通路と出口通路を閉じた状態を示している。
【００３３】
図９は図８に続く図であり、回転ドアが回転を継続して、四つのフラップ、二つの進入通路、及び二つの出口通路が、円弧状側壁によって完全に閉じられている。
【００３４】
図１０は図９に続く図であり、回転ドアが回転を継続して、円弧状側壁が、回転ドアの回転方向と同じ方向に圧縮、即ち折れ曲がることによって徐々に後退する。
【００３５】
図１１は図１０に続く図であり、回転ドアが黒矢印の方向に回転を継続して、円弧状側壁が折れ曲がることによって略完全に後退・圧縮される。これは回転ドアの回転速度に従って徐々に行われる。
【００３６】
図１、図２、図３、及び図４に示す回転ドア１は二枚のフラップ２及び３を有するドアである。
【００３７】
回転ドア１が二枚のフラップを含む実施例では、三つの円弧状側壁を設ける必要がある。即ち、壁４、５、６が設けられている。これらの壁は、二つの進入通路７、８と二つの出口通路９、１０とに面して設置される。
側壁４、５、６は回転ドア１の通路の周囲に設置される。
【００３８】
フラップ２、３の移動中に制御手段が動作し、円弧状側壁４、５、６を展開又は後退させ、この円弧状側壁４、５、６が、進入通路７、８への入口、又は出口通路９、１０への入口を開閉する。
【００３９】
一実施例によれば、円弧状側壁４、５、６は垂直方向にひだがつけられ、伸長によって展開でき、圧縮によって後退できる形式である。
【００４０】
図示しない特定の実施例によれば、円弧状側壁４、５、６は、回転ドア１の上方の天井に設けられ、スライドウエーとして機能するローラートラック上に吊るされる。
【００４１】
制御手段１１、１２は、フラップ２、３の通過によって動作し、円弧状側壁４、５、６を展開又は後退させるものであり、フラップ２、３の周囲端に設けられた引っ掛け又は引っ掛け解除手段である。フラップの移動により、円弧状側壁４、５、６を展開又は後退させることによる異なる進入通路７、８と出口通路９、１０の開閉を確実に行わせることができる。
【００４２】
具体的には、制御手段１１、１２は、例えば、電磁石手段であり、この電磁石手段は、通路を分離する垂直壁、即ち垂直壁１７、１８、１９、２０の頭部に設けられた円弧状側壁４、５、６の停止又は摺動作動部材１３、１４、１５、１６として機能する手段と協働し、フラップ２、３の通過に従って、停止又は摺動作動部材１３、１４、１５、１６と接続又は分離し、円弧状側壁４、５、６をフラップ２、３と接続又は分離させる。
【００４３】
一方、フラップ２、３の周囲端に配置された引っ掛け手段１１、１２と協働する停止又は摺動作動部材１３、１４、１５、１６として機能する手段は、円弧状側壁４、５、６のスライドウエーに沿っての摺動を停止したり、逆に許容したりする。これにより、円弧状側壁４、５、６は、フラップ２、３の動きに連動して、スライドウェーに沿って停止又は摺動しつつ、展開又は後退し、進入通路７、８と出口通路９、１０の開閉を行う。
【００４４】
図１、図２、図３、図４に示すように、一つの通路は常時閉じられている。図１の例では，出口通路９が側壁５によって閉じられ、出口通路１０が開きつつある。何故なら、白丸がこの経路によって出て行くからである。円弧状の側部ドア６は圧縮の過程にあり、反対に円弧状の側部ドア４は、白丸のための進入通路７を閉じる。
【００４５】
進入通路８は円弧状側壁がない。四つの通路、二つの進入通路７、８、二つの出口通路９、１０にに対して、三つのドアと三つの円弧状側壁、即ち、側壁４、５、６しか設けられていないことが分かるであろう。これらの壁は移動可能であり、各出口又は進入通路の正面に択一的に位置する。サイクルに従い、図１、図２、図３、図４に示すように、側壁は可動であり、各展開又は後退動作の後、回転ドア１のフラップと同じ方向へ回転することが分かるであろう。サイクルが完了すると、即ち図４の後、回転ドアが所定の角度回転し、図１の状態に戻り、円弧状側壁６が通路７を閉じる過程に入り、回転ドアが完全に一回転する。
【００４６】
本発明による回転ドアは、好ましい使用形態において、乗換の乗客の流れ（黒丸又は白丸）が図１に示す進入通路によって到着した時、出口通路１０に沿う回転ドアの出口を見ることができるという利点がある。
【００４７】
これは図４でも同様である。進入通路８が開き過程にある時、黒丸、即ち乗り換えの乗客は出口通路９を見ることができる。
【００４８】
図６、図７、図８、図９，図１０、図１１の実施例によれば、回転ドア２１は四つのフラップ２２、２３、２４、２５を含んでいる。
図から分かるように、このドアは四つの円弧状側壁２６、２７、２８、２９を必要とする。
【００４９】
技術的な特徴は同一であるが、図９に示すように、回転ドアの周囲に設けられた円弧状側壁の全てが展開する段階が存在する。進入通路３０、３１が閉じられ、出口通路３２、３３も閉じられる。従って、黒丸と白丸が部屋内に閉じ込められる段階が存在する。
【００５０】
前述の実施例とは異なり、黒丸又は白丸で示す乗客は、彼らが出て行こうとする出口を回転ドアを通して見ることはできない。従って、乗客は、ドアの対応する１／４の部分に最初に入り、必要な移動の後、円弧状側部ドアの開口部に接近することができ、このアクセス通路から出て行くことができる。
【００５１】
何れの実施例においても、フラップは回転ドアの周囲において節足動物又はキャタピラーのようにして回転移動する。この運動は、圧縮と伸長を一端において行い、その後他端において、圧縮により、組立体を再結合する。回転ドアの中心軸の回りで回転しながら同様の動作を繰り返す。
【図面の簡単な説明】
【図１】  本発明の一実施例による回転ドアの概略平面図。
【図２】  図１と同様の図で、回転ドアが９０°の角度に回転した状態を示す。
【図３】  図１と同様の図で、回転ドアが更に９０°回転した状態を示す。
【図４】  図１と同様の図で、回転ドアが更に９０°回転した状態を示す。
【図５】  本発明の別の実施例による回転ドアの概略平面図で、フラップが引っ掛け又は引っ掛け解除手段と協働しない場合を示す。
【図６】  図５と同様の図で、フラップが引っ掛け又は引っ掛け解除手段と協働する場合を示す。
【図７】  図６に引き続く図で、回転ドアが所定の角度に回転した状態を示す。
【図８】  図７に引き続く図で、回転ドアが所定の角度だけ更に回転した状態を示す。
【図９】  図８に引き続く図で、回転ドアが回転を継続して、四つのフラップ、二つの進入通路、及び二つの出口通路が、円弧状側壁によって完全に閉じられた状態を示す。
【図１０】  図９に続く図であり、回転ドアが回転を継続して、円弧状側壁が、回転ドアの回転方向と同じ方向に圧縮することによって徐々に後退する状態を示す。
【図１１】  図１０に続く図であり、回転ドアが黒矢印の方向に回転を継続して、円弧状側壁が折れ曲がることによって略完全に後退・圧縮された状態を示す。
【符号の説明】
１  回転ドア
２、３  フラップ
４、５、６  円弧状側壁
７、８  進入通路
９、１０  出口通路
１１、１２  引っ掛け手段
１３、１４、１５、１６  停止又は摺動作動部材として機能する手段
１７、１８、１９、２０  通路を分離するための垂直壁
２１  回転ドア
２２、２３、２４、２５  フラップ
２６、２７、２８、２９  円弧状側壁
３０、３１  進入通路
３２、３３  出口通路
【図１】
0004923220.tif 000002
【図２】
0004923220.tif 000003
【図３】
0004923220.tif 000004
【図４】
0004923220.tif 000005
【図５】
0004923220.tif 000006
【図６】
0004923220.tif 000007
【図７】
0004923220.tif 000008
【図８】
0004923220.tif 000009
【図９】
0004923220.tif 000010
【図１０】
0004923220.tif 000011
【図１１】
0004923220.tif 000012